(57)【要約】【課題】床面に容易に固定できる輻射パネルを提案する。【解決手段】取り付け部材（42）には、締結部材（A）が挿通可能に構成されるとともに、取り付け部材（42）におけるパネル本体（52）の厚さ方向の一方の側縁（42a）まで延びる穴（60）が形成される。【選択図】図８
2019132447.tif 000002
【特許請求の範囲】
【請求項１】
パネル本体（52）と、
前記パネル本体（52）の下方に設けられる取り付け部材（42）とを備え、
前記取り付け部材（42）には、
締結部材（A）が挿通可能に構成されるとともに、記取り付け部材（42）における前記パネル本体（52）の厚さ方向の一方の側縁（42a）まで延びる穴（60）が形成されることを特徴とする輻射パネル。
【請求項２】
請求項１において、
前記取り付け部材（42）には、複数の前記穴（60）が形成されることを特徴とする輻射パネル。
【請求項３】
請求項１又は２において、
前記パネル本体（52）と前記取り付け部材（42）の間の開放面を覆うカバー（70）を備えていることを特徴とする輻射パネル。
【請求項４】
請求項３において、
前記カバー（70）は、前記取り付け部材（42）における前記一方の側縁（42a）側の開放面を覆うように配置され、
前記カバー（70）の下縁における前記穴（60）に向かい合う位置に、該カバー（70）の下端まで延びる開口（73）が形成されることを特徴とする輻射パネル。
【請求項５】
請求項４において
前記開口（73）を覆う開口蓋（80）を備え、
前記カバー（70）の内側には、前記開口蓋（80）が着脱可能に取り付けられる蓋取り付け部（74）が設けられることを特徴とする輻射パネル。
【請求項６】
請求項４又は５において、
前記カバー（70）の開口（73）は、ドレンホース（H）が挿通可能に構成されていることを特徴とする輻射パネル。
【請求項７】
請求項１乃至６のいずれか１つの輻射パネル（40）を備えた空気調和装置。
【請求項８】
輻射パネル（40）を床面（F）に設置するための輻射パネルの据え付け方法であって、
前記床面（F）から上方に突出する締結部材（A）を設ける工程と、
前記輻射パネル（40）の下方に設けられる取り付け部材（42）の一方の側縁（42a）から、前記締結部材（A）を前記取り付け部材（42）の穴（60）の奥に位置付けるように、該輻射パネル（40）をスライドさせる工程とを含んでいることを特徴とする輻射パネルの据え付け方法。
【発明の詳細な説明】
【技術分野】
【０００１】
本開示は、輻射パネル、空気調和装置、及び輻射パネルの据え付け方法に関する。
【背景技術】
【０００２】
特許文献１には、輻射パネル（輻射型室内機）を備えた空気調和装置が開示されている。輻射パネルは、室内の床面に設置される。空気調和装置の例えば暖房運転では、冷媒の熱が輻射パネルの発熱体を介して室内へ放出される。
【先行技術文献】
【特許文献】
【０００３】
【特許文献１】特開２０１５−２５６２７号公報
【発明の概要】
【発明が解決しようとする課題】
【０００４】
輻射パネルを床面に設置する場合、輻射パネルの下部（取り付け部材）を締結部材（アンカーボルト等）によって床面に固定することが考えられる。ここで、例えば予め床側に固定したアンカーボルトを、取り付け部材の穴に差し込むためには、輻射パネルを一時的に持ち上げる必要がある。この場合、輻射パネルの据え付け作業が繁雑となるという問題があった。
【０００５】
本開示の目的は、床面に容易に固定できる輻射パネルを提案することである。
【課題を解決するための手段】
【０００６】
第１の態様は、パネル本体（52）と、前記パネル本体（52）の下方に設けられる取り付け部材（42）とを備え、前記取り付け部材（42）には、締結部材（A）が挿通可能に構成されるとともに、記取り付け部材（42）における前記パネル本体（52）の厚さ方向の一方の側縁（42a）まで延びる穴（60）が形成されることを特徴とする輻射パネルである。
【０００７】
第１の態様では、取り付け部材（42）の穴（60）が該取り付け部材（42）の一方の側縁（42a）まで延びているため、輻射パネルを厚さ方向にスライドさせながら、締結部材（A）を穴（60）の内部へ位置付けることができる。
【０００８】
第２の態様は、第１の態様において、前記取り付け部材（42）には、複数の前記穴（60）が形成されることを特徴とする輻射パネルである。
【０００９】
第２の態様では、取り付け部材（42）の床面（F）に対する取り付け強度が向上する。
【００１０】
第３の態様は、第１又は２の態様において、前記パネル本体（52）と前記取り付け部材（42）の間の開放面を覆うカバー（70）を備えていることを特徴とする輻射パネルである。
【００１１】
第３の態様では、取り付け部材（42）の内部の締結部材（A）や他の部品をカバー（70）によって覆うことで、輻射パネルの美感を向上できる。
【００１２】
第４の態様は、第３の態様において、前記カバー（70）は、前記取り付け部材（42）における前記一方の側縁（42a）側の開放面を覆うように配置され、前記カバー（70）の下縁における前記穴（60）に向かい合う位置に、該カバー（70）の下端まで延びる開口（73）が形成されることを特徴とする輻射パネルである。
【００１３】
第４の態様では、輻射パネル（40）にカバー（70）を取り付けた状態であっても、締結部材（A）をカバー（70）の開口（73）を通じて穴（60）の内部まで位置付けることができる。
【００１４】
第５の態様は、第４の態様において前記開口（73）を覆う開口蓋（80）を備え、前記カバー（70）の内側には、前記開口蓋（80）が着脱可能に取り付けられる蓋取り付け部（74）が設けられることを特徴とする輻射パネルである。
【００１５】
第５の態様では、カバー（70）の開口（73）を開口蓋（80）で覆うことができる。また、輻射パネル（40）をスライドさせる作業と、開口蓋（80）を取り付ける作業とを、輻射パネルを挟んで同じ側（カバー（70）の開口（73）とは反対側）から行うことができる。
【００１６】
第６の態様は、第４又は５の態様において、前記カバー（70）の開口（73）は、ドレンホース（H）が挿通可能に構成されていることを特徴とする輻射パネルである。
【００１７】
第６の態様では、締結部材（A）を通過させるための開口（73）が、ドレンホース（H）の挿通用の開口を兼用する。
【００１８】
第７の態様は、第１乃至６の態様のいずれか１つの輻射パネル（40）を備えた空気調和装置である。
【００１９】
第８の態様は、輻射パネル（40）を床面（F）に設置するための輻射パネルの据え付け方法であって、前記床面（F）から上方に突出する締結部材（A）を設ける工程と、前記輻射パネル（40）の下方に設けられる取り付け部材（42）の一方の側縁（42a）から、前記締結部材（A）を前記取り付け部材（42）の穴（60）の奥に位置付けるように、該輻射パネル（40）をスライドさせる工程とを含んでいることを特徴とする輻射パネルの据え付け方法である。
【図面の簡単な説明】
【００２０】
【図１】図１は、実施形態に係る空気調和装置の概略構成を示す配管系統図である。
【図２】図２は、実施形態に係る輻射パネルの概略構成を示す正面図である。
【図３】図３は、実施形態に係る輻射パネルの下部を拡大した正面図である。
【図４】図４は、実施形態に係る底板の平面図である。
【図５】図５は、実施形態に係る底板の穴の近傍を拡大した平面図である。
【図６】図６は、実施形態に係る輻射パネルの要部を拡大した斜視図である。
【図７】図７は、実施形態に係る輻射パネルの図３におけるIII−III線断面図であり、輻射パネルの据え付けの工程を説明するための第１の図である。
【図８】図８は、実施形態に係る輻射パネルの図３におけるIII−III線断面図であり、輻射パネルの据え付けの工程を説明するための第２の図である。
【図９】図９は、実施形態に係る輻射パネルの図３におけるIII−III線断面図であり、輻射パネルの据え付けの工程を説明するための第３の図である。
【図１０】図１０は、実施形態に係る輻射パネルの図３におけるIII−III線断面図であり、輻射パネルの据え付けの工程を説明するための第４の図である。
【図１１】図１１は、ドレンホースを配設した状態を示す図３に相当する図である。
【図１２】図１２は、その他の第１の例に係る底板の図５に相当する図である。
【図１３】図１３は、その他の第２の例に係る底板の図５に相当する図である。
【発明を実施するための形態】
【００２１】
《実施形態》
本実施形態の空気調和装置（10）について図面を参照しながら説明する。
【００２２】
〈全体構成〉
空気調和装置（10）は、室内の冷房及び暖房を切り換えて行う。図１に示すように、空気調和装置（10）は、室外ユニット（20）と、室内ユニット（30）と、輻射パネル（40）とを備える。
【００２３】
室外ユニット（20）は、室外に設置される。室外ユニット（20）は、熱源ユニットを構成している。室外ユニット（20）には、圧縮機（21）、室外熱交換器（22）、室外膨張弁（23）、四方切換弁（24）、及び室外ファン（25）が設けられる。
【００２４】
室内ユニット（30）は、室内の天井付近に設けられる。室内ユニット（30）は、室内ファン（33）によって搬送される空気により、冷房又は暖房を行う対流型の室内機を構成する。室内ユニット（30）の数量は、１つ又は２つ以上である。各室内ユニット（30）には、室内熱交換器（31）、室内膨張弁（32）、及び室内ファン（33）が設けられる。
【００２５】
輻射パネル（40）は、室内の床面に設置される。輻射パネル（40）は、輻射熱の移動により、冷房又は暖房を行う輻射型の室内機を構成する。輻射パネル（40）の数量は、１つ又は２つ以上である。
【００２６】
空気調和装置（10）では、室外ユニット（20）、室内ユニット（30）、及び輻射パネル（40）が２本の連絡配管を介して連結される。これにより、冷凍サイクルが行われる冷媒回路（11）が構成される。本実施形態の冷媒回路（11）では、室内ユニット（30）と輻射パネル（40）とが並列に接続される。
【００２７】
〈輻射パネルの全体構成〉
輻射パネル（40）の全体構成について図２を参照しながら説明する。輻射パネル（40）は、一対の支柱（41）と、パネル本体（52）と、底板（42）とを備える。
【００２８】
支柱（41）は、輻射パネル（40）の左右側端に１つずつ設けられる。各支柱（41）は、床面（F）上に立設し、上下方向に延びている。
【００２９】
パネル本体（52）は、一対の支柱（41）の間に設けられる。パネル本体（52）は、その前面及び後面が室内空間に露出している。
【００３０】
底板（42）は、一対の支柱（41）の下端に連結するように、該一対の支柱（41）の間を左右に延びている。底板（42）は、アンカーボルト（A）を介して室内の床面に固定される（詳細は後述する）。一対の支柱（41）の上端は、固定部（43）を介して天井側の吊りボルト（図示省略）と連結する。
【００３１】
輻射パネル（40）では、パネル本体（52）の下側に下部収容室（44）が形成される。下部収容室（44）には、パネル本体（52）から発生した結露水を回収するためのドレンパン（45）が設けられる。下部収容室（44）の前側及び後側の各開放面は、下部カバー（70）によってそれぞれ覆われる。
【００３２】
輻射パネル（40）では、パネル本体（52）の上側に上部収容室（47）が形成される。上部収容室（47）には、冷媒回路（11）に接続する液管（53）及びガス管（54）が収容される。液管（53）には、輻射膨張弁（50）（図２において図示省略）が接続される。上部収容室（47）の前側及び後側の各開放面は、上部カバー（48）によってそれぞれ覆われる。各上部カバー（48）は、例えば一対の支柱（41）の上部に着脱可能に取り付けられる。
【００３３】
〈底板〉
底板（42）の詳細な構成について、図３〜図６を参照しながら説明する。底板（42）は、パネル本体（52）の下方に設けられる取り付け部材を構成している。底板（42）は、床面（F）に沿うように左右に延びている。底板（42）の周縁は、上方に向かって折り返されている。底板（42）の長手方向の両端は、対応する支柱（41）にそれぞれ固定される。
【００３４】
底板（42）の両端（左側寄り及び右側寄りの部分）には、それぞれアンカーボルト（A）が挿通可能な穴（60）が形成される。つまり、底板（42）には、複数（本例では２つ）の穴（60）が底板（42）の長手方向に配列される。穴（60）の数量は、３つ以上であってもよいし、１つであってもよい。なお、アンカーボルト（A）は、底板（42）の穴（60）に対応して設けられる。アンカーボルト（A）は、その雌ねじ部が床面（F）から上方に突出するように床部分に固定される（詳細は後述する）。
【００３５】
各穴（60）は、アンカーボルト（A）が位置付けられる締結穴（61）と、該締結穴（61）に連続する切り欠き孔（62）とを含んでいる。本実施形態の各締結穴（61）は、底板（42）の長手方向に延びる長円ないし楕円形状に形成される。図５に示すように、締結穴（61）の幅Ｗ１及び長さＬ１は、アンカーボルト（A）の雌ねじ部の外径ｄよりも大きい。
【００３６】
各切り欠き孔（62）は、締結穴（61）から底板（42）の一方の側縁（後縁（42a））まで、パネル本体（52）の厚さ方向に延びている。つまり、切り欠き孔（62）は、締結穴（61）から後縁（42a）に亘って形成される。本実施形態の切り欠き孔（62）は、矩形状に形成される。開口（73）の前端は、締結穴（61）の長手方向の中間部に連続している。切り欠き孔（62）の幅Ｗ２は、アンカーボルト（A）の雌ねじ部の外径ｄよりも僅かに大きい。詳細は後述するが、底板（42）は、アンカーボルト（A）の雌ねじ部にワッシャー（W）及びナット（N）を締結することで、床面（F）に固定される。
【００３７】
〈下部カバー〉
上述した一対の下部カバー（70）は、前面カバー（70A）及び後面カバー（70B）で構成される（図３、図６、及び図１０を参照）。
【００３８】
前面カバー（70A）は、パネル本体（52）と底板（42）の間の下部収容室（44）のうち、前側の開放面を覆うように一対の支柱（41）に固定される。図６に示すように、一対の支柱（41）のそれぞれの内部には、前面カバー（70A）及び後面カバー（70B）が着脱可能に取り付けられるカバー支持具（71）が設けられる。カバー支持具（71）の前側には、前面カバー（70A）の内面（裏面）に設けられる爪部が係合する係合穴（71a）が形成される。同様に、カバー支持具（71）の後側には、後面カバー（70B）の内面（前面）に設けられる爪部（72）が係合する係合穴（71b）が形成される。
【００３９】
後面カバー（70B）の下部には、２つの開口（73）（切り欠き）が形成される。２つの開口（73）は、底板（42）の各穴（60）とパネル本体（52）の厚さ方向（前後方向）に重なる位置に形成される。開口（73）は、後面カバー（70B）の下側両側縁の各角部を切除した略矩形状に形成される。
【００４０】
後面カバー（70B）には、開口（73）を塞ぐ開口蓋（80）が着脱可能に取り付けられる。具体的に、後面カバー（70B）には、その内面（前面）において、開口蓋（80）が取り付け可能な蓋取り付け部（74）が設けられる。蓋取り付け部（74）は、開口（73）の上縁及び側縁に配置される。蓋取り付け部（74）は、前方に突出する突板（75）と、該突板（75）の先端から外周側に延出する鍔部（76）とを有する。
【００４１】
開口蓋（80）は、開口（73）よりも僅かに大きな矩形板状に形成される。開口蓋（80）の周縁（上縁及び側面）には、蓋取り付け部（74）の鍔部（76）に締結される締結板（81）が形成される。
【００４２】
〈補強板〉
図６に示すように、底板（42）の上面には、各穴（60）に対応する位置にそれぞれ補強板（85）が設けられる。補強板（85）は、平板部（86）と、該平板部（86）の前端及び後端から上方に延出する側板部（87）とを有する。平板部（86）には、底板（42）の長手方向外方の側端に横長の切り欠き溝（88）が形成される。切り欠き溝（88）は、平板部（86）の側端から該平板部（86）の中央部付近まで延びている。補強板（85）は、その切り欠き溝（88）が締結穴（61）と厚さ方向にオーバーラップするように、底板（42）の上面に敷設される。
【００４３】
−運転動作−
実施形態に係る空気調和装置（10）の運転動作について図１を参照しながら説明する。空気調和装置（10）は、暖房運転と冷房運転とを切り換えて行う。
【００４４】
〈暖房運転〉
暖房運転では、四方切換弁（24）が図１の破線で示す状態となる。圧縮機（21）で圧縮された冷媒は、室内ユニット（30）と輻射パネル（40）とに送られる。
【００４５】
室内ユニット（30）では、冷媒が室外熱交換器（22）で放熱（凝縮）する。冷媒によって加熱された空気は、室内ファン（33）によって室内空間へ供給される。
【００４６】
輻射パネル（40）では、冷媒がパネル本体（52）の内部を流れる。この結果、冷媒の熱がパネル本体（52）から室内空間へ放出される。
【００４７】
室内ユニット（30）及び輻射パネル（40）でそれぞれ放熱した冷媒は、室外膨張弁（23）で減圧された後、室外熱交換器（22）で蒸発する。蒸発した冷媒は、圧縮機（21）で再び圧縮される。
【００４８】
〈冷房運転〉
冷房運転では、四方切換弁（24）が図１の実線で示す状態となる。圧縮機（21）で圧縮された冷媒は、室外熱交換器（22）で放熱（凝縮）する。室外熱交換器（22）で放熱した冷媒は、室内ユニット（30）と輻射パネル（40）とに送られる。
【００４９】
室内ユニット（30）では、冷媒が室内膨張弁（32）で減圧された後、室内熱交換器（31）を流れる。室内ユニット（30）では、冷媒が室内熱交換器（31）で蒸発する。冷媒によって冷却された空気は、室内ファン（33）によって室内空間へ供給される。
【００５０】
輻射パネル（40）では、冷媒が輻射膨張弁（50）で減圧された後、パネル本体（52）の内部を流れる。この結果、パネル本体（52）の周囲の空気が冷却される。
【００５１】
室内ユニット（30）及び輻射パネル（40）でそれぞれ蒸発した冷媒は、圧縮機（21）で再び圧縮される。
【００５２】
〈輻射パネルの据え付け方法〉
輻射パネル（40）を床面（F）上に据え付ける方法について、図７〜図１０を参照しながら詳細に説明する。
【００５３】
この据え付け方法では、まず、アンカーボルト（A）を床面（F）から上方へ突出させる工程が行われる。具体的に、この工程では、例えばアンカーボルト（A）を床面（F）（床パネル）の裏側の基礎部（例えばコンクリート）に打ち付ける。これにより、アンカーボルト（A）が床側に固定され、アンカーボルト（A）の雌ねじ部が床面（F）から上方に突出する状態となる（図７を参照）。本実施形態では、底板（42）の２つの穴（60）に対応して、アンカーボルト（A）が床面（F）上に２本設けられる。
【００５４】
次いで、図８に示すように、輻射パネル（40）の底板（42）の穴（60）の奥にアンカーボルト（A）を位置付ける工程が行われる。この工程の準備段階として、輻射パネル（40）には、後面カバー（70B）のみを取り付け、前面カバー（70A）は取り付けない。また、後面カバー（70B）では、蓋取り付け部（74）に開口蓋（80）が取り付けられず、後面カバー（70B）の各開口（73）は開放状態となっている。従って、輻射パネル（40）を図７の矢印方向（後方）にスライドさせると、アンカーボルト（A）は、まず、後面カバー（70B）の開口（73）を通過する。この状態から輻射パネル（40）を更にスライドさせると、アンカーボルト（A）は、底板（42）の後縁（42a）側から切り欠き孔（62）に挿通され、その後、穴（60）の奥（即ち、締結穴（61））に位置付けられる（図８を参照）。
【００５５】
締結穴（61）の左右の長さＬ１は、アンカーボルト（A）の外径ｄよりも大きい。このため、アンカーボルト（A）と締結穴（61）の長手方向の相対位置をずらすように、輻射パネル（40）を幅方向（左右方向）にスライドさせることができる。これにより、輻射パネル（40）の幅方向の位置を微調整できる。
【００５６】
次いで、図９に示すように、底板（42）の上側に補強板（85）を敷設する。具体的に、補強板（85）の切り欠き溝（88）にアンカーボルト（A）が入り込むように、補強板（85）を底板（42）の長手方向外方へスライドさせる。これにより、締結穴（61）と切り欠き溝（88）とが厚さ方向にオーバーラップする。
【００５７】
次いで、図１０に示すように、アンカーボルト（A）の雌ねじ部にワッシャー（W）及びナット（N）を順に結合する。これにより、底板（42）及び補強板（85）がアンカーボルト（A）に締結され、輻射パネル（40）が床面（F）に固定される。
【００５８】
次いで、後面カバー（70B）の蓋取り付け部（74）に開口蓋（80）を取り付ける。これにより、後面カバー（70B）の開口（73）が開口蓋（80）によって閉塞される。その後、輻射パネル（40）に前面カバー（70A）を取り付ける。これにより、在室者に対して下部収容室（44）が露出されることがなく、輻射パネル（40）の美感を向上できる。
【００５９】
〈ドレンホースの設置について〉
上述したように、後面カバー（70B）の開口（73）は、後面カバー（70B）を取り付けたままアンカーボルト（A）を輻射パネル（40）の内部へ位置付けるための開口として機能する。これに加え、図１１に示すように、後面カバー（70B）の開口（73）は、ドレンホース（H）を輻射パネル（40）の外部へ配設するためのドレンホースの挿通用の開口を兼ねている。つまり、後面カバー（70B）の開口（73）は、ドレンホース（H）が挿通可能に構成される。
【００６０】
具体的には、ドレンパン（45）の排水口（45a）にドレンホース（H）を接続する場合、ドレンホース（H）の流出側を排水管等へ導く必要がある。この場合、後面カバー（70B）の蓋取り付け部（74）から開口蓋（80）を取り外し、開口（73）を開放状態とする。そして、ドレンホース（H）の流出側を、開口（73）を通じて輻射パネル（40）の外部（後側）へ配設する。これにより、後面カバー（70B）を取り外すことなく、ドレンホース（H）を輻射パネル（40）の外部（後側）へ案内できる。
【００６１】
−実施形態の効果−
上記実施形態によれば、底板（42）に形成された穴（60）が、パネル本体（52）の厚さ方向の一方の側縁（後縁（42a））まで延びている。このため、輻射パネル（40）を床面（F）に沿うようにスライドさせることで、アンカーボルト（A）を穴（60）の内部に位置付けることができる。従って、輻射パネル（40）をアンカーボルト（A）よりも高い位置まで持ち上げることをせずとも、アンカーボルト（A）を底板（42）の穴（60）に挿通できる。
【００６２】
上記実施形態によれば、底板（42）に複数（本例では２つ）の穴（60）を形成しているため、複数（本例では２つ）のアンカーボルト（A）により底板（42）と床面（F）とを締結できる。これにより、輻射パネル（40）の取り付け強度を向上できる。
【００６３】
上記実施形態によれば、パネル本体（52）と底板（42）の間に下部カバー（70）（前面カバー（70A）及び後面カバー（70B））を取り付けている。このため、アンカーボルト（A）や他の部品（例えばドレンパン（45））が輻射パネル（40）の外部へ露出されることを回避できる。従って、輻射パネル（40）の美感を向上できる。
【００６４】
上記実施形態によれば、後面カバー（70B）における、底板（42）の穴（60）に向かい合う位置（アンカーボルト（A）に向かい合う位置）に、後面カバー（70B）の下端まで延びる切り欠き（開口（73））を形成している。このため、輻射パネル（40）に後面カバー（70B）を取り付けた状態で、アンカーボルト（A）を穴（60）の内部へ位置付けることができる。輻射パネル（40）は、例えば室内の壁面に沿うように配置することがあり、輻射パネル（40）の後側に十分な作業スペースを確保できない場合がある。従って、アンカーボルト（A）を穴（60）に位置付けた後には、もはや後面カバー（70B）を輻射パネル（40）に取り付けることができない。これに対し、本実施形態では、後面カバー（70B）を取り付けた後、輻射パネル（40）を壁面付近までスライドできる。
【００６５】
上記実施形態によれば、後面カバー（70B）の内側（前側）に、開口蓋（80）の蓋取り付け部（74）を設けている。このため、在室者は、前側から開口蓋（80）を後面カバー（70B）に取り付けることができる。このため、上述のように、輻射パネル（40）を壁面付近までスライドさせた場合にも、後面カバー（70B）に開口蓋（80）を容易に取り付けることができる。
【００６６】
以上のように、本実施形態では、図７〜図１０に示す上述した一連の工程を、全て、輻射パネル（40）の前側から行うことができる。従って、作業スペースを十分確保できるとともに、各作業を簡便に行うことができる。
【００６７】
上記実施形態によれば、後面カバー（70B）の開口（73）がドレンホース（H）の挿通用の開口を兼ねている。従って、部品点数の削減、あるいは輻射パネル（40）の簡素化を図ることができる。
【００６８】
《その他の実施形態》
上記実施形態や、各変形例においては、以下のような構成としてもよい。
【００６９】
底板（42）の穴（60）の形状は、上記実施形態に限られない。例えば図１２に示すように、締結穴（61）は略円形状であってもよい。また、例えば図１３に示すように、締結穴（61）は、略矩形状であり、穴（60）全体の平面形状が、鉤状ないしＬ字状であってもよい。
【００７０】
底板（42）の穴（60）は、底板（42）の前縁まで延びてもよい。前面カバー（70A）に開口（73）や蓋取り付け部（74）を設けてもよい。
【００７１】
室内ユニット（30）は、天井側に設けられる天井設置式（厳密には、天井吊り下げ式や天井埋め込み式）以外にも、床面に設置される床置き式や、壁面に設置される壁掛け式であってもよい。
【００７２】
輻射パネル（40）は、床置き式以外にも、天井側に設けられる天井設置式や、壁面に設置される壁掛け式であってもよい。
【００７３】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００７４】
以上説明したように、本開示は、輻射パネル、空気調和装置、及び輻射パネルの据え付け方法について有用である。
【符号の説明】
【００７５】
１０      空気調和装置
４０      輻射パネル
４２      底板（取り付け部材）
４２ａ    後縁（側縁）
５２      パネル本体
６０      穴
７０      カバー
７３      開口
７４      蓋取り付け部
８０      開口蓋
【図１】
2019132447.tif 000003
【図２】
2019132447.tif 000004
【図３】
2019132447.tif 000005
【図４】
2019132447.tif 000006
【図５】
2019132447.tif 000007
【図６】
2019132447.tif 000008
【図７】
2019132447.tif 000009
【図８】
2019132447.tif 000010
【図９】
2019132447.tif 000011
【図１０】
2019132447.tif 000012
【図１１】
2019132447.tif 000013
【図１２】
2019132447.tif 000014
【図１３】
2019132447.tif 000015